(57)【要約】【課題】再利用を防ぐことができる熱転写用メディアを収納するカートンを提供する。【解決手段】熱転写用メディアを収納するカートン１０は、底面１３と、４つの側面１１ａ、１１ｂ、１１ｃ、１１ｄと、開口縁１６ａ、１６ｂを有する上面１４とを有するカートン本体１０Ａと、カートン本体１０Ａの開口縁１６ａ、１６ｂを封止する密封テープ１５と、密封テープ１５とカートン本体１０Ａとを跨いで設けられた割印２０とを備えている。密封テープ１５に貫通孔１５Ａが形成され、割印２０はこの貫通孔１５Ａを覆って形成されている。【選択図】図１
2016169013.tif 000002
【特許請求の範囲】
【請求項１】
熱転写用メディアを収納するカートンにおいて、
底面と、４つの側面と、一対の開口縁をもつ上面とを有し、開口縁が形成されたカートン本体と、
前記カートン本体の開口縁を覆って、設けられた密封テープと、
密封テープ上に、この密封テープとカートン本体とを跨いで設けられた割印とを備え、
前記密封テープに貫通孔が形成され、割印はこの貫通孔を覆って設けられていることを特徴とするカートン。
【請求項２】
前記割印は、印刷を施すことにより設けられていることを特徴とする請求項１記載のカートン。
【請求項３】
前記割印は、エンボス加工を施すことにより設けられていることを特徴とする請求項１記載のカートン。
【請求項４】
前記割印は、針を用いた刻印加工を施すことにより設けられていることを特徴とする請求項１記載のカートン。
【発明の詳細な説明】
【技術分野】
【０００１】
本発明は熱転写用メディアを収納するカートンに係り、とりわけ開封後の再利用を防止することができる熱転写用メディアを収納するカートンに関する。
ここで、本明細書では、熱転写方式のプリンタに用いられ、熱転写シートと称される昇華型インクリボンまたは熱溶融型インクリボンや、受像紙を総称して、「熱転写用メディア」と記載するものである。
【背景技術】
【０００２】
従来より、熱転写プリンタで使用される熱転写用メディアは、カートン内に収納されて運搬されている。
【０００３】
このような場合、熱転写シートおよび受像紙をカートンに収納した後、カートンは密封テープにより封止される。
【０００４】
使用時において、熱転写シートおよび受像紙が収納されたカートンに設けられている密封テープが剥がされ、カートンから熱転写シートおよび受像紙が外方へ取出される。
【０００５】
ところで、熱転写シートおよび受像紙が収納されたカートンは、開封後に再度、熱転写シートまたは受像氏の模倣品を収納して再利用されることがあり、このような再利用を防ぐ工夫が求められている。  
【先行技術文献】
【特許文献】
【０００６】
【特許文献１】特開２００３−２００２９号公報
【特許文献２】特開２００９−５１５４０号公報
【特許文献３】特開２００９−５１５４１号公報
【特許文献４】特開２００９−１３７６３２号公報
【発明の概要】
【発明が解決しようとする課題】
【０００７】
本発明は、このような点を考慮してなされたものであり、開封後に模倣品を収納して再利用することを防止することができるカートンを提供することを目的とする。
【課題を解決するための手段】
【０００８】
本発明は、熱転写用メディアを収納するカートンにおいて、底面と、４つの側面と、一対の開口縁をもつ上面とを有し、開口縁が形成されたカートン本体と、前記カートン本体の開口縁を覆って、設けられた密封テープと、密封テープ上に、この密封テープとカートン本体とを跨いで設けられた割印とを備え、前記密封テープに貫通孔が形成され、割印はこの貫通孔を覆って設けられていることを特徴とするカートンである。
【０００９】
本発明は、前記割印は、印刷を施すことにより設けられていることを特徴とするカートンである。
【００１０】
本発明は、前記割印は、エンボス加工を施すことにより設けられていることを特徴とするカートンである。
【００１１】
本発明は、前記割印は、針を用いた刻印加工を施すことにより設けられていることを特徴とするカートンである。
【発明の効果】
【００１２】
以上のように本発明によれば、開封後にカートン内に模倣品を収納して再利用することを未然に防ぐことができる。
【図面の簡単な説明】
【００１３】
【図１】本発明による熱転写用メディアを収納するカートンの一実施の形態を示す斜視図。
【図２】カートンの内部を示す平面図。
【図３】密封テープと割印との関係を示す平面図。
【図４】密封テープと割印との関係を示す側面図。
【発明を実施するための形態】
【００１４】
＜本発明の実施の形態＞
以下、図面を参照して本発明の実施の形態について説明する。  
図１乃至図４は、本発明による熱転写用メディアを収納するカートンの実施の形態を示す図である。
【００１５】
図１および図２に示すように、熱転写用メディアを収納するカートン１０は、底面１３と、４つの側面１１ａ、１１ｂ、１１ｃ、１１ｄと、上面１４とを有するカートン本体１０Ａを備えている。
【００１６】
このうち上面１４は各々が開口縁１６ａ、１６ｂをもつ２つの部分１４ａ、１４ｂに区画され、上面１４の２つの部分１４ａ、１４ｂを立ち上げることにより上面１４が開口するようになっている。
【００１７】
また上面１４の各開口縁１６ａ、１６ｂは透明フィルムからなる密封テープ１５により覆われて封止され、密封テープ１５は対向する一対の側面１１ａ、１１ｂまで達している。
【００１８】
すなわち、密封テープ１５は上面１４から一対の側面１１ａ、１１ｂまで延び、密封テープ１５の端部１５ａは側面１１ａ、１１ｂに位置している。
【００１９】
また密封テープ１５と上面１４の部分１４ｂとを跨いで割印２０が設けられている。
【００２０】
さらに密封テープ１５は多数の貫通孔１５Ａを有し、割印２０は密封テープ１５の貫通孔１５Ａを覆うように形成されている。
【００２１】
次に割印２０について更に述べる。  
割印２０は密封テープ１５と上面１４の部分１４ｂとを跨いでインクを用いた印刷を施すことにより形成されている。このように割印２０をインクを用いた印刷により形成することにより、割印２０のインクは密封テープ１５上だけでなく、密封テープ１５の貫通孔１５Ａを介して上面１４の部分１４ｂまで達し、この上面１４の部分１４ｂ上にインク面２０ａを形成する。
【００２２】
また密封テープ１５および上面１４上に形成された割印２０は、「ＡＢＣ」等の文字または記号を有していてもよい。
【００２３】
さらにまたカートン本体１０Ａの側面１１ａと上面１４の部分１４ｂとの間にも封印テープ２１が設けられ、上面１４の部分１４ｂと封印テープ２１を跨いで追加割印２２が設けられている。
【００２４】
また図２に示すように、カートン１０内には少なくとも１つの熱転写用メディアが収納されており、例えば、１つの熱転写シート３０と、更に２つの受像紙３１、３１が収納されている。
【００２５】
次にこのような構成からなる本実施の形態の作用について説明する。  
まず図１および図２に示すように、カートン１０の上面１４の２つの部分１４ａ、１４ｂを立ち上げて上面１４を開口する。次に上面１４の開口から熱転写シート３０と、２つの受像紙３１、３１が収納される。
【００２６】
その後上面１４の２つの部分１４ａ、１４ｂの開口縁１６ａ、１６ｂが密封テープ１５により覆われて封止される。
【００２７】
その後、密封テープ１５と上面１４の部分１４ｂとを跨いで割印２０が設けられる。  
さらにカートン本体１０Ａの側面１１ａと上面１４の部分１４ｂとの間に封印テープ２１が設けられ、上面１４の部分１４ｂと封印テープ２１を跨いで追加割印２２が設けられる。
【００２８】
使用にあたって、使用者は側面１１ａの端部１５ａを掴み、密封テープ１５をカートン本体１０Ａの側面１１ａ、上面１４および側面１１ｂから引き剥がす。また使用者は側面１１ａおよび上面１４から、封印テープ２１を引き剥がす。
【００２９】
次にカートン本体１０Ａの上面１４の部分１４ａ、１４ｂを立ち上げ、開口縁１６ａ、１６ｂを介してカートン本体１０Ａ内に収納された熱転写シート３０および受像紙３１を取り出す。
【００３０】
次に使用済のカートン１０内に熱転写シート３０または受像紙３１の模倣品を収納してカートン１０を再利用する場合について述べる。  
【００３１】
上述のように上面１４の開口縁１６ａ、１６ｂを密封テープ１５により覆って封止した後、密封テープ１５上にインキより割印２０を設けた場合、割印２０のインクは密封テープ１５の貫通孔１５Ａを介して上面１４の部分まで達してインク面２０ａを形成する（図４参照）。
【００３２】
使用済のカートン１０内に熱転写シート３０または受像紙３１の模倣品を収納して上面１４の開口縁１６ａ、１６ｂを再度密封テープ１５により封止した場合、さらに密封テープ１５上に再度割印２０を設ける必要がある。この場合、密封テープ１５上の割印２０に加えて、前回割印２０を設けた際に形成されたインク面２０ａが透明フィルムからなる密封テープ１５を介して新たな割印２０とともに外方に現れるため、カートン１０の再使用を容易に判定することができる。
【００３３】
＜本発明の変形例＞
次に本発明の変形例について説明する。  
上記実施の形態において、密封テープ１５と上面１４とを跨いでインクを用いて印刷を施すことにより割印２０を設けた例を示したが、これに限らず貫通孔１５Ａを有する密封テープ１５と上面１４を跨いで貫通孔１５Ａを覆うようにエンボス加工を施すことにより割印２０を設けてもよい。
【００３４】
エンボス加工を施すことにより割印２０を設けた場合、割印２０の形状が密封テープ１５の貫通孔１５Ａにより変化する。
【００３５】
上面１４の開口縁１６ａ、１６ｂを再度密封テープ１５により封止し、密封テープ１５上にエンボス加工によって再度割印２０を形成する際、前回の割印２０の形状と異なる形状をもつ割印２０が外方に現れるため、カートン１０の再利用を容易に判定することができる。
【００３６】
また密封テープ１５と上面１４を跨いで針を用いた刻印加工を施すことにより割印２０を設けてもよい。
【００３７】
針を用いた刻印加工を施すことにより割印２０を設けた場合、割印２０の形状が密封テープ１５の貫通孔１５Ａにより変化する。
【００３８】
上面１４の開口縁１６ａ、１６ｂを再度密封テープ１５により封止し、密封テープ１５上にエンボス加工によって再度割印２０を形成する際、前回の割印２０の形状と異なる形状をもつ割印２０が外方に現れるため、カートン１０の再利用を容易に判定することができる。
【００３９】
さらにまた、上面１４の一対の開封縁１６ａ、１６ｂを覆って密封テープ１５を設けた例を示したが、密封テープ１５をカートン本体１０Ａの他の開封縁、例えば一方の側面１１ａと上面１４との間の開封縁に沿って設けてもよい。
【００４０】
さらにまたカートン１０内に１つの熱転写シート３０と、２つの受像紙３１、３１を収納した例を示したが、カートン１０内に１つまたは複数個の熱転写シート３０のみを収納してもよいし、カートン１０内に１つまたは複数個の受像紙３１のみを収納してもよい。
【符号の説明】
【００４１】
１０  カートン
１０Ａ  カートン本体
１１ａ、１１ｂ、１１ｃ、１１ｄ  側面
１３  底面
１４  上面
１４ａ、１４ｂ  上面の部分
１５  密封テープ
１６ａ、１６ｂ  開口縁
２０  割印
２０ａ  インク面
２１  封印テープ
２２  追加割印
【図１】
2016169013.tif 000003
【図２】
2016169013.tif 000004
【図３】
2016169013.tif 000005
【図４】
2016169013.tif 000006